(57)【要約】【課題】食器洗浄機をシステムキッチンに設置する場合、食器洗浄機の化粧面材とシステムキッチンの表面材の位置を合わすことができ、美観上優れたシステムキッチンを構成できる食器洗浄機を提供する。【解決手段】システムキッチンの置き台２１（キャビネット）に設置される食器洗浄機１であって、食器を収容し洗浄する食器洗浄機本体４と、食器洗浄機本体４両側に固定され前後方向に移動可能なボデーバンド２４と、置き台２１に固定される転倒防止金具２２とを備えたもので、食器洗浄機１の化粧面材６とシステムキッチンの表面材の面を合わすことが簡単に行なえる食器洗浄機を提供することができる。【選択図】図２
2013103057.tif 000002
【特許請求の範囲】
【請求項１】
システムキッチン等のキャビネットに設置される食器洗浄機であって、食器を収容し洗浄する食器洗浄機本体と、前記食器洗浄機本体両側に固定され前後方向に移動可能なボデーバンドと、前記キャビネットに固定される転倒防止金具とを備えた食器洗浄機。
【請求項２】
前記食器洗浄機本体にねじで固定された前記ボデーバンドが前記ねじにより前後方向に移動する請求項１記載の食器洗浄機。
【請求項３】
前記ボデーバンドは、前記食器洗浄機本体両側にそれぞれ固定された左右個別の部材で構成した請求項１または２記載の食器洗浄機。
【請求項４】
前記転倒防止金具に前記食器洗浄機本体の背面に対向させて進退可能とした調整ねじを設けた請求項１〜３のいずれか１項記載の食器洗浄機。
【発明の詳細な説明】
【技術分野】
【０００１】
本発明は、食器洗浄機に関するもので、特に、システムキッチン内に設置して使用される食器洗浄機に関するものである。
【背景技術】
【０００２】
近年、システムキッチン内へ設置して使用するビルトイン型の食器洗浄機が主流となっている。
【０００３】
ビルトイン型の食器洗浄機は、図７に示すように、多くはシステムキッチンを構成するキッチンカウンタＫの下にビルトインされる。キッチンカウンタＫの下には引き出し式の収納部Ｌや開き戸式の収納部Ｍなどのシステムキッチン構築物が設けられ、オーブンレンジＮや食器洗浄機１がビルトインされるのが一般的な設置形態である。このようなシステムキッチンでは、キッチンカウンタＫの下に構築される収納部Ｌ、Ｍなどシステムキッチン構築物の表面材は、その素材や色調、図柄が統一され、表面位置が同一平面上になるようにした美麗な外観に仕上げられている。これに合わせて食器洗浄機１やオーブンレンジＮの表面も同一の色調、図柄に形成され、その表面がシステムキッチン構築物と同一位置になるようにして統一感が得られるようにしている。
【０００４】
従来のこの種の食器洗浄機として、食器類を収容して洗浄する洗浄槽を、スライドレールにより食器洗浄機本体から前後方向に出し入れする引き出し式のものがあり、キッチンキャビネットに食器洗浄機をビルトインしたシステムキッチンの構築に好適な形態である（例えば、特許文献１参照）。
【０００５】
このように洗浄槽を食器洗浄機本体から出し入れする形態の食器洗浄機の従来例について、図８を用いて説明する。
【０００６】
図８に示すように、従来の食器洗浄機１は、前方に開口する箱状に形成された食器洗浄機本体４内に、上方に開口する洗浄槽３を食器洗浄機本体４の前方開口部から前後に進退移動させ、前方に引き出して上方に開口する洗浄槽３から食器類を出し入れすることができるように構成されている。
【０００７】
前記食器洗浄機本体４には給水、排水の配管接続及び電源接続がなされ、前記洗浄槽３には食器洗浄機本体４から給水弁１１、給水ポンプ１２、給水パイプ１３を通じて給水接続がなされ、洗浄槽３の底面に配設されて回転駆動される洗浄ノズル１４から洗剤を混入させた洗浄水又はすすぎ水を噴射させて食器カゴ１５に収容した食器類１６を洗浄する。
【０００８】
この洗浄槽３は、その外側面に取り付けられた第２のスライドレール１８を食器洗浄機本体４の内側面に取り付けられた第１のスライドレール１７上でスライドさせることにより、食器洗浄機本体４の前方開口部から出し入れすることができる。洗浄槽３を食器洗浄機本体４内に押し入れたときには、洗浄槽３の上方開口部は内蓋１９によって密閉され、洗浄する水が外部に飛散しないようにしている。
【０００９】
前記洗浄槽３の前方には、洗浄槽３の幅と略同一にした前板部７が設けられ、前板部７には上方に操作パネル５が設けられ、下方に化粧面材６を取り付けた扉２が取り付けられる。この操作パネル５の下端に上端を接するようにして前板部７に化粧面材６が取り付けられている。
【００１０】
また図９に示すように食器洗浄機本体４の前方両側部にはボデーバンド２０が固定されている。食器洗浄機１は、システムキッチンのキャビネットに設けられた食器洗浄機用の置き台２１の上面に設置されている。図１０のように置き台２１の上部の両側には側板２１ａが設けられている。食器洗浄機１は、置き台２１の両側の側板２１ａの間に前方から押し込まれ、食器洗浄機本体４の前方両側部のボデーバンド２０と置き台２１の側板２１ａの前面木口面２１ｂが当たる所で前後方向の位置が決められて設置される。
【００１１】
また食器洗浄機１の後部には食器洗浄機１を置き台２１の後部に固定する転倒防止金具２２が設けられており、前記設置位置で、転倒防止金具２２が食器洗浄機本体４背面に嵌合して食器洗浄機本体４を固定している。
【００１２】
システムキッチンは、図１１のように収納部Ｌ、Ｍのキャビネット２９の前面に扉３０が取り付けられており、扉３０とキャビネット２９との間にパッキン２３が設けられている。このパッキン２３はキッチンメーカーまたはキッチンの種類によって異なる寸法のものである。
【００１３】
また、システムキッチンにビルトインされる引き出し式の食器洗浄機で、化粧面材の前面を隣接する収納部の表面材と同一平面上に位置させるために、食器洗浄機本体に対して化粧面材の前後位置を調整可能に構成した食器洗浄機が提案されている（例えば、特許文献２参照）。
【００１４】
図１２はこのような食器洗浄機の化粧面材の前後位置調整機構を示す側面図で、以下その構成について説明する。化粧面材６の裏面に、断面形状がＬの字状に形成され、前後方向に長穴３１ａが形成された左右一対の取付金具３１を取り付け、この取付金具３１を前板部７の両側面に取付ネジ３１ｂでネジ止めすることにより、化粧面材６は前板部７に取り付けられる構成としてある。
【００１５】
食器洗浄機１をシステムキッチンに設置する際には、まず、化粧面材６の表面位置を操作パネル５の表面位置にほぼ一致させて、取付金具３１を前板部７の両側面に仮固定する。次に、化粧面材６の表面位置が食器洗浄機１に隣接する収納部のキャビネットの扉の前面と同一平面上に位置するように、長穴３１ａ（前後位置調整機構）を利用して化粧面材６の前後位置を調整し、取付ネジ３１ｂ（前後位置調整機構）を完全に締め付けて化粧面材６を前板部７を介して洗浄槽３に取り付ける。
【００１６】
このように、システムキッチン個々の収納部の表面材の前後位置に対応して、前後位置調整機構を利用して食器洗浄機本体に対する（厳密に言えば洗浄槽３に対する）化粧面材６の前後位置を調整することを可能としている。
【先行技術文献】
【特許文献】
【００１７】
【特許文献１】特開２００５−２５３８２２号公報
【特許文献２】特開２００５−２５３８２５号公報
【発明の概要】
【発明が解決しようとする課題】
【００１８】
しかしながら、従来の特許文献１のような食器洗浄機では、食器洗浄機１の化粧面材６が調整可能になっていないため、キッチンメーカーによって前記パッキン２３の厚さ寸法が異なるため、または施工時のバラツキによって、洗浄槽３の表面に固定された化粧面材６の位置とシステムキッチンの扉３０表面の面が合わず、食器洗浄機１の化粧面材６のみが飛び出したりする場合があり、システムキッチンとして外観の見栄えが悪いという課題
があった。
【００１９】
また、特許文献２のような食器洗浄機においては、化粧面材６の前後位置調整機構を備えているため、食器洗浄機１の化粧面材６の表面位置を隣接する収納部のキャビネットの扉の前面と合わせることが可能であるので、特許文献１のような食器洗浄機の有する課題は解決できるものの、洗浄槽３を食器洗浄機本体４から前方に引き出した時に、洗浄槽３の側面に構成された化粧面材６の前後位置調整機構（長穴３１ａ、取付ネジ３１ｂ）が見えることになり、システムキッチンとしての見栄えが悪くなる。また、これを隠すとしてもカバー等の余分な専用部材を必要とする等の課題を有していた。
【００２０】
本発明は、上記従来の課題を解決するもので、食器洗浄機の表面の化粧面材とシステムキッチンの表面材にズレが生じた場合、食器洗浄機本体に固定されているボデーバンドを前後方向に移動できるようにして食器洗浄機本体を移動して設置して、食器洗浄機の化粧面材とシステムキッチンの表面材の位置を合わせることができ、外観の見栄えが良いシステムキッチンを構成できる食器洗浄機を提供することを目的としている。
【課題を解決するための手段】
【００２１】
本発明の食器洗浄機は上記従来の課題を解決するために、食器を収容し洗浄する食器洗浄機本体と、食器洗浄機本体両側に固定され前後方向に移動可能なボデーバンドと、キャビネットに固定される転倒防止金具とを備えたもので、システムキッチンに設置した場合、システムキッチンの表面材と食器洗浄機の化粧面材がずれた場合、食器洗浄機本体両側に固定されたボデーバンドを前後方向に移動することにより、食器洗浄機本体の設置位置をずらすことができ、システムキッチン全体として華麗に外観を仕上げ、見栄えの良い食器洗浄機を提供することができる。
【発明の効果】
【００２２】
本発明の食器洗浄機は、食器洗浄機本体をシステムキッチンに設置する場合、操作パネルと化粧面材の相対位置を変えることなくキッチンの表面材と食器洗浄機の化粧面材の面を合わせることが簡単に行なうことができ、システムキッチン全体の統一感を得ることができるものである。
【図面の簡単な説明】
【００２３】
【図１】本発明の実施の形態１における食器洗浄機のシステムキッチン内に設置した状態の外観図
【図２】本発明の実施の形態１における食器洗浄機の縦断面図
【図３】本発明の実施の形態１および２における食器洗浄機の要部拡大図
【図４】本発明の実施の形態１における食器洗浄機の要部平面断面図
【図５】本発明の実施の形態１および４における食器洗浄機の転倒防止金具周辺の断面図
【図６】本発明の実施の形態３における食器洗浄機の要部平面断面図
【図７】従来の食器洗浄機のシステムキッチン内に設置した状態の外観図
【図８】従来の食器洗浄機の縦断面図
【図９】従来の食器洗浄機の外観側面図
【図１０】従来の食器洗浄機が設置されるシステムキッチンのキャビネットの外観図
【図１１】従来の食器洗浄機が設置されるシステムキッチンのキャビネットの平面図
【図１２】従来の他の食器洗浄機の化粧面材の前後位置調整機構を示す側面図
【発明を実施するための形態】
【００２４】
第１の発明は、システムキッチン等のキャビネットに設置される食器洗浄機であって、食器を収容し洗浄する食器洗浄機本体と、前記食器洗浄機本体両側に固定され前後方向に
移動可能なボデーバンドと、前記キャビネットに固定される転倒防止金具とを備えたもので、食器洗浄機をシステムキッチンに設置したとき、例えば食器洗浄機の化粧面材がシステムキッチンの表面材より飛び出した場合、食器洗浄機本体を少し奥に設置する等の前後方向の位置調整をする事ができ、食器洗浄機の化粧面材をシステムキッチンの表面材と面を合わせることができ、外観上統一感のあるシステムキッチンを提供することができる。
【００２５】
第２の発明は、食器洗浄機本体にねじで固定されたボデーバンドがねじにより前後方向に移動する構成にすることにより、ボデーバンドと置き台のキャビネットの前面木口面との前後位置関係の微妙な調整を可能にすることができるので、食器洗浄機の化粧面材とシステムキッチンの表面材の面合わせをより細かく行うことができる。
【００２６】
第３の発明は、ボデーバンドは、食器洗浄機本体両側にそれぞれ固定された左右個別の部材で構成したことにより、ボデーバンドと置き台のキャビネットの前面木口面との前後位置関係を左右別々に異ならせて設定できるので、食器洗浄機の左側に隣接するシステムキッチンの表面材と右側に隣接するシステムキッチンの表面材とが同一平面上になかった場合においても、食器洗浄機の化粧面材とシステムキッチンの表面材の面合わせを精度良く行うことができるとともに、食器洗浄機の左右に隣接するシステムキッチンの表面材間の面のずれを食器洗浄機の化粧面材によってカバーし補正することができる。
【００２７】
第４の発明は、転倒防止金具に食器洗浄機本体の背面に対向させて進退可能とした調整ねじを設けたことにより、食器洗浄機本体と転倒防止金具の隙間を無くし、食器洗浄機の位置固定を確実にし、設置時に行った面合わせが使用時の振動や洗浄槽の引き出し動作によってずれてしまうことを防止することができる。
【００２８】
以下、本発明の実施の形態について、図面を参照しながら説明する。なお、この実施の形態によって本発明が限定されるものではない。また、本発明の実施の形態として、引き出し式の食器洗浄機で説明しているが、食器洗浄機の形態はこの形態に限定されるものではない。
【００２９】
（実施の形態１）
図１は、本発明の実施の形態１における食器洗浄機をシステムキッチン内に設置した状態の外観図である。図２は本発明の同実施の形態における食器洗浄機の縦断面図である。なお、従来例と同じ構成部品については、同一符号を付してその説明を省略する。
【００３０】
図２において食器洗浄機本体４の前面の左右両側に本発明の食器洗浄機の主要構成であるボデーバンド２４が設けられており、このボデーバンド２４は食器洗浄機本体４に対して前後方向に移動可能に構成されている。
【００３１】
図３はボデーバンド部の拡大図である。食器洗浄機本体４の前面背部にはナット２５が溶接等によって固定されている。ねじ２６はナット２５と螺合することにより、ボデーバンド２４を食器洗浄機本体４に固定している。ねじ２６はボデーバンド２４に設けられた穴に挿入し、ねじ部より手前の途中に設けた環状溝部にリング２７を嵌入することで回転自在に取り付けられている。リング２７の外径はボデーバンド２４に設けられたねじ２６が挿入された穴径より大きいものである。このねじ２６による固定部は、食器洗浄機本体４の前面の左右両側において、それぞれ上下方向に２箇所以上配設されている。
【００３２】
図４は本発明の実施の形態１の食器洗浄機のボデーバンド部の平面断面図である。図４において、ボデーバンド２４は、食器洗浄機１を置き台２１の両側の側板２１ａの間に前方から押し込んで設置する時に、置き台２１に当接して食器洗浄機１の主として前後位置を決定するもので、置き台２１の左右の側板２１ａの前面木口面２１ｂに接している。ま
た、洗浄槽３を食器洗浄機本体４内に最後まで押し込んだ状態で、化粧面材６とボデーバンド２４との間に隙間Ａを有している。
【００３３】
図５は本発明の実施の形態１の食器洗浄機の転倒防止金具周辺の断面図である。図５において、置き台２１の食器洗浄機設置面に固定された転倒防止金具２２は背面に調整ねじ２８がねじ止めされている。転倒防止金具２２は食器洗浄機本体４の背面に食器洗浄機本体４後部の上方への移動を規制するように嵌合しており、洗浄槽３を食器洗浄機本体４から前方に引き出したときに、食器等を収納した洗浄槽３の重みで食器洗浄機本体４の後部が浮き上がって前方に傾くことを防いでいる。
【００３４】
上記のように構成された本実施の形態の食器洗浄機における動作について説明する。なお食器洗浄機としての洗浄等の基本動作は従来例と同様のため、説明を省略する。
【００３５】
本発明の食器洗浄機のシステムキッチン内への設置方法は以下の通りである。食器洗浄機１を置き台２１（キャビネット）にセットする場合、食器洗浄機１を置き台２１の上に載せ、奥に押し込む。この時、食器洗浄機本体４前面の両サイドに固定されたボデーバンド２４が置き台２１の側板２１ａの前面木口面２１ｂに当接するところまで押し込める。この時、システムキッチンの各キャビネットの施工バラツキや、キャビネットの前面に取り付けられたパッキン２３の厚さにより食器洗浄機１の両サイドのシステムキッチンのキャビネットに取り付けられた表面材より、食器洗浄機１の洗浄槽３の前面に固定された化粧面材６のほうが飛びだしており面が合わない場合が発生する。
【００３６】
食器洗浄機１の化粧面材６とシステムキッチンの表面材の面が合わないとき、ねじ２６をねじが緩む方向に廻すと、ナット２５に螺合されたねじ２６は食器洗浄機本体４に対して手前に出てくる。この時、ねじ２６に固定されたリング２７によりボデーバンド２４が食器洗浄機本体４に対して手前に引き出される。これにより、ボデーバンド２４と置き台２１のキャビネットの側板２１ａの前面木口面２１ｂとの間に隙間ができ、その隙間分だけ食器洗浄機１を奥に押し込むことができ、システムキッチンの表面材と面を合わすことができる。
【００３７】
本発明の場合、ねじ２６を１回転するとねじのピッチ分だけボデーバンド２４が手前に出てくるため、ボデーバンド２４と置き台２１のキャビネットの前面木口面２１ｂとの間の隙間、すなわち前後位置関係の微妙な調整が可能になり、食器洗浄機１の化粧面材６とシステムキッチンの表面材の面合わせが細かにできるものである。
【００３８】
そして、洗浄槽３を前方に引き出した際にも、ボデーバンド２４の前面にねじ２６の頭部が数箇所見えるだけであるので、外観を損ねることもない。また、ねじ２６の頭部を隠すとしても、一般の家具等で用いられる小型のネジカバーを挿入するだけでよいので、対応が安価で容易である。
【００３９】
（実施の形態２）
図６は、本発明の実施の形態２における食器洗浄機のボデーバンド部の平面断面図である。なお、上記実施の形態１における食器洗浄機と同一構成については同一符号を付してその説明を省略する。
【００４０】
本実施の形態２は、図６に示すように、食器洗浄機本体４の前面の左右両側に設けられるボデーバンド２４は左右個別の部材であるボデーバンド２４Ｒ、ボデーバンド２４Ｌで構成され、これらボデーバンド２４Ｒ、２４Ｌは食器洗浄機本体４に対してそれぞれ個別に独立して前後方向に移動可能に構成されている。
【００４１】
ボデーバンド２４Ｒ、２４Ｌの食器洗浄機本体４への取り付けは、図３に示した上記実施の形態１と同様に、食器洗浄機本体４の前面左右側部の背面に溶接等によって固定されたナット２５に螺合するようにボデーバンド２４Ｒ、２４Ｌが、それぞれ環状溝部にリング２７が嵌入されたねじ２６でねじ止めされている。
【００４２】
食器洗浄機１を置き台２１に設置するとき、上記実施の形態１の場合と同様に、食器洗浄機１の化粧面材６とシステムキッチンの表面材の面が合わないとき、ねじ２６をねじが緩む方向に廻すと、ナット２５に螺合されたねじ２６は食器洗浄機本体４に対して手前に出てくる。この時、ねじ２６に固定されたリング２７によりボデーバンド２４Ｒ、２４Ｌは食器洗浄機本体４に対して手前に引き出される。これにより、ボデーバンド２４Ｒ、２４Ｌと置き台２１のキャビネットの側板２１ａの前面木口面２１ｂとの間にそれぞれ隙間ができ、その隙間分だけ食器洗浄機１を奥に押し込むことができ、システムキッチンの表面材と面を合わすことができる。
【００４３】
本実施の形態によれば、ボデーバンド２４は左右個別の部材であるボデーバンド２４Ｒ、ボデーバンド２４Ｌで構成されているので、ねじ２６を廻すことによってボデーバンド２４Ｒ、２４Ｌと前面木口面２１ｂとの間の隙間を左右別々に異なる隙間に設定でき、食器洗浄機１の左側に隣接するシステムキッチンの表面材と右側に隣接するシステムキッチンの表面材とが同一平面上になかった場合においても、食器洗浄機１の化粧面材６とシステムキッチンの表面材の面合わせを精度良く行うことができる。また、食器洗浄機１の左右に隣接するシステムキッチンの表面材間の面のずれを食器洗浄機１の化粧面材６によってカバーし補正することができる。
【００４４】
（実施の形態３）
図５は本発明の実施の形態３の食器洗浄機の転倒防止金具の断面図である。なお、上記実施の形態１および２における食器洗浄機と同一構成については同一符号を付してその説明を省略する。
【００４５】
本実施の形態３は、置き台２１の設置面に固定した転倒防止金具２２の背面に、食器洗浄機本体４の背面に対向させて前後方向に進退可能とした調整ねじ２８が取り付けられている。
【００４６】
食器洗浄機１を置き台２１に設置するとき、上記実施の形態１と同様に食器洗浄機１の化粧面材６とシステムキッチンの表面材の面が合わない場合、ボデーバンド２４をずらして面を合わすと、転倒防止金具２２と食器洗浄機本体４の背面との間に隙間が生じてしまう。この場合、この調整ねじ２８を廻すことにより食器洗浄機１を転倒防止金具２２に隙間無く固定でき、食器洗浄機１のより安定した、確実な固定ができるものである。
【００４７】
また、食器洗浄機１が奥まって設置された場合には、この調整ねじ２８を廻して手前に出すことにより、この調整ねじ２８が食器洗浄機１に対する後方のストッパーの働きをして、食器洗浄機１の化粧面材６とシステムキッチンの表面材の面を合わすことができる。
【００４８】
さらに、設置時に行った面合わせが使用時の振動や洗浄槽３の引き出し動作によってずれてしまうことを防止することができる。
【００４９】
以上のように本発明の食器洗浄機によれば、食器洗浄機をシステムキッチンに統一感のある美観の優れた状態でビルトインし、かつ、信頼性、工事性の高いシステムキッチンを提供することができる。
【産業上の利用可能性】
【００５０】
以上のように、本発明にかかる食器洗浄機は、システムキッチンに設置した場合、食器洗浄機の化粧面材をシステムキッチンの表面材と面を合わすことが簡便にでき、システムキッチンとしての統一感が得られ、一体化された美麗な外観のシステムキッチンを構成できるので、システムキッチン内に設置して使用される食器洗浄機等として有用である。
【符号の説明】
【００５１】
１  食器洗浄機
４  食器洗浄機本体
６  化粧面材
２１  置き台
２１ａ  側板
２１ｂ  前面木口面
２２  転倒防止金具
２３  パッキン
２４、２４Ｒ、２４Ｌ  ボデーバンド
２６  ねじ
２８  調整ねじ
【図１】
2013103057.tif 000003
【図２】
2013103057.tif 000004
【図３】
2013103057.tif 000005
【図４】
2013103057.tif 000006
【図５】
2013103057.tif 000007
【図６】
2013103057.tif 000008
【図７】
2013103057.tif 000009
【図８】
2013103057.tif 000010
【図９】
2013103057.tif 000011
【図１０】
2013103057.tif 000012
【図１１】
2013103057.tif 000013
【図１２】
2013103057.tif 000014